(57)【要約】      （修正有）【課題】マンション等でペットを飼う場合に必要なペット用トイレの簀の子の洗浄を、隣人に迷惑をかけることなく容易かつ清潔に行えるようにするペット用トイレの簀の子の洗浄容器を提供する。【解決手段】容器本体部１が、平面図で見てほぼ矩形状で上部開口の箱型容器で、その開口部３は、ペット用トイレの簀の子４を上方から出し入れ可能な大きさを有し、またその対向する少なくとも二側面５，５を、簀の子４の下面が容器本体部１の内底面７に当接せずに支承可能に、少なくとも下半部の底寄りほど間隔が狭まる傾斜状面に形成し、かつ上記開口部３の外周得３ａの少なくとも１つの角部に、側方へ突き出た排水用部９を形成する。【選択図】図３
0003179523.tif 000002
【実用新案登録請求の範囲】
【請求項１】
容器本体部１が、平面図で見てほぼ矩形状で上部開口の箱型容器で、
その開口部３は、ペット用トイレの簀の子４を上方から出し入れ可能な大きさを有し、  またその対向する少なくとも２側面５，５を、簀の子４の下面が容器本体部１の内底面７に当接せずに支承可能に、少なくとも下半部の底寄りほど間隔が狭まる傾斜状面に形成し、
かつ、上記開口部３の少なくとも１つの角部を、側方へ突き出した排水用部９に形成してなる、ペット用トイレの簀の子洗浄容器。
【請求項２】
上部の開口部３の外周縁３ａを、外側方へ湾曲させて手掛け用部に形成すると共に、容器本体部１の外底面には短い脚部１１を形成し、かつ開口部３の上方から冠合可能な大きさで、ほほ矩形状の蓋部２を設けた、請求項１に記載のペット用トイレの簀の子洗浄容器。
【考案の詳細な説明】
【技術分野】
【０００１】
本考案は、ペット用トイレの簀の子洗浄容器に係り、ペット用トイレの内の特に簀の子の部分を、簡単かつ清潔に洗うことができる容器（桶）に関するものである。
【背景技術】
【０００２】
ペット用トイレ自体は下記の如く幾つかのものが考案されている。その構造は一般に、有底のトイレ容器本体の内側に、シート等を敷く底板との間で少し間隔をおいて、尿を透過可能な簀の子、網状板、多孔板、格子状板又は貫通板（本考案では総称して簀の子ということにする）を設け、その簀の子の上に砂、水酸化カルシウム又は排泄物処理材等を敷いて用いるものが多い。
【先行技術文献】
【特許文献】
【０００３】
ペット用トイレ自体は、上記のように従来より各種のものが考案されている。
【特許文献１】特開平１０−２２５２４３
【特許文献２】特開２００２−７８４２８
【特許文献３】特開２００３−１８０１８２
【特許文献４】特開２００３−６１４９８
【特許文献５】特開２００６−２３８７８０
【特許文献６】特開２００８−１４８６０３
【特許文献７】特開２００８−１９９９５５
【特許文献８】特開２０１１−１９３８７９
【特許文献９】特開２０１２−６５６４１
【特許文献１０】特開２０１２−８０８８０
【考案の概要】
【考案が解決しようとする課題】
【０００４】
上記各ペット用トイレにも、掃除・清掃が容易に行えるような工夫を施してはある。しかしそれらでも、ペット用トイレ内に設けてある簀の子は、長期間の使用の継続や、多頭飼いをしている場合等に、付着した尿が乾燥して簀の子の目の間にコビリ付き、剥がれ難くなる。これは、体裁が悪いだけでなく、上に敷いた砂を時々交換したとしても異臭が無くなることはない。しかしそれの対策としては、消臭剤を用いることしかなかった。
【０００５】
そこで、簀の子をペット用トイレから取り外し、水洗いすることが考えられる。しかし簀の子の水洗いは、庭付き住宅に住む人ならそれも容易であるが、マンション住まい等の人はベランダで水洗いすると、汚水が隣室等との共用の排水溝を経て共用排水口へ流れることになり、気兼ねしてベランダで水洗いを行い難い。
【０００６】
そのため、マンション住まい等の人がペットを飼う場合の簀の子の掃除・清掃は、従来一般に、ウエットテッシュペーバーをピンセットで挟み、それを簀の子の目に差し入れて拭き取るということを行っている。これは、手間がかかり、かつ煩わしい作業である。また容器（桶）として例えばタライを用いるとしても、平面図で見てタライは円形状だが簀の子は矩形状であるため、うまく用いることが難しい。
【０００７】
本考案は、ペット用トイレの簀の子を、簡単かつ清潔に水洗いすることができる容器・桶の提供を目的とするものである。
【課題を解決するための手段】
【０００８】
本考案に係るペット用トイレの簀の子洗浄容器は、
平面図で見てほぼ矩形状で上部開口の箱型状の容器本体部１を有し、
その開口部３は、ペット用トイレの簀の子４を上方から出し入れ可能な大きさを有し、  またその対向する少なくとも二側面５，５を、簀の子４の下面が容器本体部１の内底面７に当接せずに支承可能に、少なくとも下半部で底寄りほど間隔が狭まる傾斜状面に形成し、
かつ、上記開口部３の少なくとも１つの角部を、側方へ突き出した排水用部９に形成してなるものである。
【０００９】
上記構成において、上部の開口部３の外周縁３ａを、外側方へ湾曲させて手掛け用部に形成しておくようにし。また容器本体部１の外底面には短い脚部１１を形成しておくのがよい。さらに、容器本体部１と別体で上記開口部３の上方から冠合可能な大きさでほほ矩形状の蓋部２を用意しておくことが望ましい。なお、簀の子４は、その本体部分は板状であるが、その周辺部に枠体部８を設けて、簀の子４の持ち運びの便宜と強度を持たせてあるのが一般的である。
【考案の効果】
【００１０】
本考案に係るペット用トイレの簀の子洗浄容器Ａの使用状態や効果は、以下のようになる。
イ）本ペット用トイレの簀の子洗浄容器Ａは、マンション等の集合住宅のベランダ等で使用すればよいが、その使用に際しては、容器本体部１内に、簀の子４を係合させておく。その際に、本考案の容器本体部１は、平面図で見てほぼ矩形状の上部開口の箱型で、その開口部３は簀の子４を出し入れ可能な大きさを有し、かつ少なくとも対向する２側面５，５、６，６を、少なくとも下半部で底寄りほど間隔が狭まる傾斜状面に形成してある（図１，図２，図３参照）。
【００１１】
そのため、容器本体部１内に係合させた簀の子４は、その底部周縁４ａが本体容器１の傾斜した側面５，５、６，６で途中で支承されることになり、容器本体部１の内底面７に当接することなしに載置された状態となる（上記図３参照）。この状態で、容器本体部１の開口部３から水１０を、簀の子４の上面より上方にくるまで注ぎ込む（上記図３参照）。そして少し時間を漬け置きした後に、ブラシやタワシ等で簀の子４を擦れば、乾燥して固着していた尿も洗浄できる。後は、容器本体部１から簀の子４を取り出し乾燥させればよい。
【００１２】
ロ）また上記の如く、容器本体部１内に係合させた簀の子４が、簀の子４の底部周縁４ａが本体容器１の傾斜した側面５，５、６，６で途中で支承され、容器本体１の内底面７に当接すること無く載置されていることで、洗浄の作用・効果が上がる。
【００１３】
即ち、簀の子４が水に漬かった状態でブラシやタワシ等で擦ることにより、剥がれた尿の汚れは容器本体１内下部で簀の子４よりも下方の水１０中に溜まることになる。簀の子４上方の水１０に混じったり、容器本体１内の水全体に拡散されることは殆ど無いから、簀の子４の上方の水１０は透明性を維持したままである。したかって、作業者は簀の子４の汚れ落ちの状態を容易に視認できるので、その段階で汚れが残っている箇所だけを重点的にブラシやタワシ等で擦り落とせばよいことになり、簀の子洗浄の作用・効果を高めることができる。
【００１４】
ハ）他方、容器本体部１の上部開口部３の少なくとも１つの角部に、側方へ突き出た排水用部９を形成してある。そのため、容器本体部１内に残った汚水は、容器本体部１を持ち上げて傾けることで、その排水用部９からベランダの共用排水口等に流し込めばよく、隣人に迷惑をかけることなく、簡単に排水することができる。
【００１５】
ニ）なお、容器本体部１の上部開口部３の外周縁３ａを、外側方へ湾曲した手掛け用部に形成してあれば、上記の排水作業時や持ち運び等を容易に行える。また容器本体部１に別体の蓋部２を用意してあれば、不使用時に冠せて美観を保つこともできるし、その上に容器本体部１や簀の子４を置いて乾燥させる際に役立つ。
【図面の簡単な説明】
【００１６】
【図１】本考案に係るペット用トイレの簀の子洗浄容器の実施例を示し、蓋部を冠せた状態の中央部縦断正面図である。
【図２】図１で示したものの蓋部を外した状態の斜視図である。
【図３】図１で示したものに簀の子を収容し、水に浸漬させた状態の中央部縦断正面図である。
【考案を実施するための形態】
【００１７】
容器本体部１が、平面図で見てほぼ矩形状で上部開口の箱型容器であって、その開口部３は、ペット用トイレの簀の子４を上方から出し入れ可能な大きさを有し、またその対向する少なくとも二側面５，５を、簀の子４の下面が容器本体部１の内底面７に当接せずに支承可能に、底寄りほど間隔が狭まる傾斜状面に形成し、かつ、上記開口部３の少なくとも１つの角部を、側方へ突き出した排水用部９に形成する。
【実施例１】
【００１８】
図１ないし図３は、本考案に係るペット用トイレの簀の子洗浄容器Ａの一実施例を示すものであり、１は容器本体部、２は蓋部を示す。
【００１９】
上記容器本体部１は、上部開口のほぼ矩形状の容器であって、その開口部３の大きさは、ペット用トイレ（図示略）内に設ける簀の子４を、上方から出し入れ可能な大きさであり、ここでは内側での寸法が、長手方向へ約５３ｃｍ、短手方向へ約４０ｃｍで、その高さ約２０ｃｍとしてある。
【００２０】
上記容器本体部１の対向する各側面５，５、６，６は垂直状ではなく、下半部の下側寄りほど内側へ向いた傾斜状面としてあり、容器本体部１の内底面７の大きさを上部の開口部３の大きさより小さくなっている。ここでは、ペット用トイレの簀の子４が、長手方向へ約４６ｃｍで、短手方向へ約３３ｃｍの大きさなので、それを容器本体部１の内底面７に当接せずに支承可能に傾斜面としてある。なお、簀の子４の周部には上方へ向いた枠体部８が付いてある。
【００２１】
例えば、容器本体部１内へ上方から汚れた簀の子４を係合した際に、簀の子４の底部周縁４ａが容器本体部１の傾斜した側面５，５、６，６で支承されるので、簀の子４は容器本体部１の内底面７に当接しない。ここでは約４ｃｍ程度の空間をもって支承可能となっている。この簀の子洗浄容器Ａを使用時には、簀の子４がその上面より約５ｃｍほどの水位をもって浸漬されるように上方から水１０を注ぎ、少しの時間を漬け置きした後に（図、ブラシやタワシで汚れを擦り取るようにする。
【００２２】
また上記容器本体部１の開口部３の１つの角部は、くちばし状に側方へ突き出して排水用部９を形成してある。これにより、汚れを擦り取って簀の子４を取り出した後に、残った汚水は容器本体部１の片側を持ち上げて傾けることで、排水用部９から容易・迅速にベランダの共用の排出口等へ流し込むことが可能となっている。
【００２３】
さらに、上部開口部３の外周縁３ａは外側方へ湾曲させてあり、容器本体部１を持ち上げ時や持ち運びの際の手掛け用部に形成してある。
【００２４】
蓋部２は、この簀の子洗浄容器Ａを保管時に容器本体部１に上方からへ冠せられるように、容器本体部１の開口部３の外周縁３ａより大きめに形成してある。またこの蓋部２には、容器本体部１へ冠せた状態で不用意に外れないように、ここではこの蓋部２の外周縁２ａの下端部が、容器本体部１の開口部３の外周縁３ａ下端部との間で係止可能としてある（図１参照）。これは公知の他の構造としてもよい。
【００２５】
１１は脚部を示し、容器本体部１の外底面の４隅に、約１ｃｍの寸法で下方へ突設したものである。なお、容器本体部１や蓋部２の材質は、ここではポリプロピレンを用いたが、それに限らずポリカーボネート、ポリエチレンその他の樹脂を用いればよい。また上記寸法も例示であって、それに限定するものではなく、需要者が使用し易くかつ製造し易い材質とすればよい。
【産業上の利用可能性】
【００２６】
本考案は、マンションのような集合住宅で猫その他のペットを飼う場合に、ペット用トイレと共に、その内部に設けられる簀の子の洗浄を行う容器が必要となるが、その簀の子洗浄を隣人に迷惑をかけることなく、容易かつ清潔に行える簀の子洗浄容器Ａとなる。
【符号の説明】
【００２７】
Ａ−簀の子洗浄容器
１−容器本体部
２−蓋部
２ａ−外周縁
３−開口部
３ａ−外周縁
４−簀の子
４ａ−底部周縁
５−側面
６−側面
７−内底面
８−枠体部
９−排水用部
１０−水
１１−脚部
【図１】
0003179523.tif 000003
【図２】
0003179523.tif 000004
【図３】
0003179523.tif 000005